(57)【要約】【課題】照明器具のグループ分けを簡単に行うことができる照明管理コントローラを提供する。【解決手段】複数の照明器具３０のグループ分けをするための照明管理コントローラ１０は、複数の照明器具３０が照明するエリア６０の複数の領域に複数の識別体がグループ分けのために置かれたときのエリア６０を撮影したカメラ２０によって得られる画像から認識された、複数の識別体のそれぞれが置かれた領域と、当該領域に置かれた識別体が有する識別情報との対応関係を示す情報を取得する取得部１２と、取得部１２が取得した対応関係を示す情報が示す領域と予め対応付けられている照明器具３０に、対応関係を示す情報が示す当該領域に対応する識別情報を対応付けることで、同じ識別情報が対応付けられた照明器具３０を同じグループにグループ分けする制御部１４と、を備える。【選択図】図４
2017139202.tif 000002
【特許請求の範囲】
【請求項１】
複数の照明器具のグループ分けをするための照明管理コントローラであって、
前記複数の照明器具が照明するエリアの複数の領域に複数の識別体が前記グループ分けのために置かれたときの前記エリアを撮影したカメラによって得られる画像から認識された、前記複数の識別体のそれぞれが置かれた領域と、当該領域に置かれた識別体が有する識別情報との対応関係を示す情報を取得する取得部と、
前記取得部が取得した前記対応関係を示す情報が示す領域と予め対応付けられている照明器具に、前記対応関係を示す情報が示す当該領域に対応する識別情報を対応付けることで、同じ識別情報が対応付けられた照明器具を同じグループにグループ分けする制御部と、を備える
照明管理コントローラ。
【請求項２】
前記複数の領域は、前記エリアに配置されている複数の物体上の領域である
請求項１に記載の照明管理コントローラ。
【請求項３】
前記取得部は、さらに、前記エリアにおいて前記複数の識別体のそれぞれが置かれなかった領域を示す領域情報を取得し、
前記制御部は、前記取得部が取得した前記対応関係を示す情報と前記領域情報とに応じて、前記複数の識別体のそれぞれが置かれなかった領域を挟む領域に置かれた識別体が有する識別情報がそれぞれ同じ識別情報の場合、当該識別体が置かれなかった領域と予め対応付けられている照明器具に、当該識別体が置かれなかった領域を挟む領域に置かれた識別体が有する識別情報を対応付ける
請求項１又は２に記載の照明管理コントローラ。
【請求項４】
前記複数の識別体は、記録媒体カード、画像表示端末又は置物である
請求項１〜３のいずれか１項に記載の照明管理コントローラ。
【請求項５】
前記複数の識別体は、前記識別情報として文字、模様、形状及び色の少なくとも１つによって構成される情報を有する
請求項１〜４のいずれか１項に記載の照明管理コントローラ。
【請求項６】
前記識別情報は、照明器具の調光率又は色温度を示す情報を含む
請求項１〜５のいずれか１項に記載の照明管理コントローラ。
【請求項７】
請求項１〜６のいずれか１項に記載の照明管理コントローラと、
前記複数の照明器具と、
前記カメラと、を備える
照明管理システム。
【請求項８】
複数の照明器具のグループ分けをするための照明管理方法であって、
前記複数の照明器具が照明するエリアの複数の領域に複数の識別体を前記グループ分けのために置くステップと、
前記複数の識別体が前記複数の領域に置かれたときの前記エリアをカメラで撮影するステップと、
前記撮影するステップで前記エリアを撮影したカメラによって得られる画像から認識された、前記複数の識別体のそれぞれが置かれた領域と、当該領域に置かれた識別体が有する識別情報との対応関係を示す情報を取得するステップと、
前記取得するステップで取得した前記対応関係を示す情報が示す領域と予め対応付けられている照明器具に、前記対応関係を示す情報が示す当該領域に対応する識別情報を対応付けることで、同じ識別情報が対応付けられた照明器具を同じグループにグループ分けするステップと、を含む
照明管理方法。
【発明の詳細な説明】
【技術分野】
【０００１】
本発明は、複数の照明器具をグループ分けするための照明管理コントローラ、照明管理システム及び照明管理方法に関する。
【背景技術】
【０００２】
グループ分けされた複数の照明器具がグループ毎に操作される照明システムが提案されている。例えば、この照明システムと通信可能なタブレット端末を操作することで、複数の照明器具のうちの所定のグループに属する照明器具の照明状態が簡単に一括して調整される。特許文献１には、このような照明システムに関する技術が記載されている。
【先行技術文献】
【特許文献】
【０００３】
【特許文献１】特開２０１５−１８６３６号公報
【発明の概要】
【発明が解決しようとする課題】
【０００４】
ところで、上述した照明システムでは、予め照明器具をグループ分けする必要がある。例えば、照明器具が数１００台設置されている部屋の照明器具のグループ分けが行われる場合、１台ずつグループを対応付けていく必要がある。また、例えば、オフィス等において部署毎に照明器具のグループ分けが行われる場合、部署の配置変更又は部署のメンバーの増減等がある度にグループ分けをする必要がある。このように、グループ分けは、グループ分けをする作業者にとって煩わしいものとなっている。
【０００５】
そこで、本発明は、照明器具のグループ分けを簡単に行うことができる照明管理コントローラ、照明管理システム及び照明管理方法を提供することを目的とする。
【課題を解決するための手段】
【０００６】
本発明の一態様に係る照明管理コントローラは、複数の照明器具のグループ分けをするための照明管理コントローラであって、前記複数の照明器具が照明するエリアの複数の領域に複数の識別体が前記グループ分けのために置かれたときの前記エリアを撮影したカメラによって得られる画像から認識された、前記複数の識別体のそれぞれが置かれた領域と、当該領域に置かれた識別体が有する識別情報との対応関係を示す情報を取得する取得部と、前記取得部が取得した前記対応関係を示す情報が示す領域と予め対応付けられている照明器具に、前記対応関係を示す情報が示す当該領域に対応する識別情報を対応付けることで、同じ識別情報が対応付けられた照明器具を同じグループにグループ分けする制御部と、を備える。
【０００７】
本発明の一態様に係る照明管理システムは、上記の照明管理コントローラと、前記複数の照明器具と、前記カメラと、を備える。
【０００８】
本発明の一態様に係る照明管理方法は、複数の照明器具のグループ分けをするための照明管理方法であって、前記複数の照明器具が照明するエリアの複数の領域に複数の識別体を前記グループ分けのために置くステップと、前記複数の識別体が前記複数の領域に置かれたときの前記エリアをカメラで撮影するステップと、前記撮影するステップで前記エリアを撮影したカメラによって得られる画像から認識された、前記複数の識別体のそれぞれが置かれた領域と、当該領域に置かれた識別体が有する識別情報との対応関係を示す情報を取得するステップと、前記取得するステップで取得した前記対応関係を示す情報が示す領域と予め対応付けられている照明器具に、前記対応関係を示す情報が示す当該領域に対応する識別情報を対応付けることで、同じ識別情報が対応付けられた照明器具を同じグループにグループ分けするステップと、を含む。
【発明の効果】
【０００９】
本発明の一態様に係る照明管理コントローラ、照明管理システム及び照明管理方法によれば、複数の照明器具のグループ分けを簡単に行うことができる。
【図面の簡単な説明】
【００１０】
【図１】実施の形態に係る照明管理システムの一例を示す構成図である。
【図２Ａ】実施の形態に係る識別体の一例を示す図である。
【図２Ｂ】実施の形態に係る識別体の一例を示す図である。
【図２Ｃ】実施の形態に係る識別体の一例を示す図である。
【図２Ｄ】実施の形態に係る識別体の一例を示す図である。
【図３】実施の形態に係る照明管理方法の一例を示すフローチャートである。
【図４】実施の形態に係る照明管理方法によるグループ分けを説明するための図である。
【図５】実施の形態に係る取得部が取得する領域と識別情報との対応関係を示す情報及び領域情報を示す図である。
【図６】予め対応付けられている領域と照明器具との対応付けを示す情報を示す図である。
【図７】実施の形態に係る制御部が照明器具に対応付ける識別情報を示す図である。
【図８】携帯端末に表示されたグループ分けの確認画面の一例を示す図である。
【図９】携帯端末に表示されたグループ毎の照明設定の確認画面の一例を示す図である。
【発明を実施するための形態】
【００１１】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成要素については同じ符号を付している。
【００１３】
（実施の形態）
以下、実施の形態について、図１から図９を用いて説明する。
【００１４】
［照明管理システムの構成］
図１は、実施の形態に係る照明管理システム１の一例を示す構成図である。なお、図１には、照明管理システム１の構成要素ではない携帯端末１００も示されている。
【００１５】
照明管理システム１は、複数の照明器具をグループ分けするためのシステムであって、照明管理コントローラ１０、カメラ２０及び複数の照明器具３０を備える。照明管理システム１は、例えば、人がグループに分かれて活動するオフィス若しくは工場等の施設、又は、物がグループに分かれて陳列されるスーパー若しくは百貨店等の施設に設置されるシステムである。施設には、複数のカメラ２０が天井等に設置され、カメラ２０の撮影範囲を１つのエリア６０として、カメラ２０毎にエリア６０が存在している。例えば、施設の１つの部屋に複数のカメラ２０が設置され、１つの部屋に複数のエリア６０が存在している。なお、施設の部屋毎に１つのカメラ２０が設置されてもよい。つまり、施設の部屋毎に１つのエリア６０が存在してもよい。また、エリア６０には、複数の照明器具３０が天井等に設置される。つまり、１つのエリア６０には１つのカメラ２０と複数の照明器具３０とが設置される。
【００１６】
照明管理コントローラ１０は、エリア６０に設置された複数の照明器具３０のグループ分けをするためのコントローラであって、例えばリモコン（ライトコントローラ）又はＰＣ（Ｐｅｒｓｏｎａｌ  Ｃｏｍｐｕｔｅｒ）等である。照明管理コントローラ１０は、複数の照明器具３０のグループ分けのためにカメラ２０及び照明器具３０と通信する。なお、照明管理コントローラ１０は、ユーザによる照明管理コントローラ１０への操作又は予め定められたスケジュール動作により照明器具３０がグループ分けされた後のグループ毎に照明器具３０のオン・オフ、調光又は調色等の制御を行ってもよい。また、照明管理コントローラ１０は、グループ分けが正しくされているかを、携帯端末１００を介して作業者に確認させるために携帯端末１００と通信する。なお、照明管理コントローラ１０は、ユーザによる携帯端末１００を介した照明管理コントローラ１０への操作によってもグループ毎に照明器具３０のオン・オフ、調光又は調色等の制御を行ってもよい。携帯端末１００は、例えば、タブレット端末、スマートフォン又はリモコン等である。
【００１７】
カメラ２０は、エリア６０における例えば天井に設置され、エリア６０を撮影する。例えば、カメラ２０は、広角なカメラ（３６０度撮影可能なカメラ）であり、部屋の中心等に設置される。カメラ２０がエリア６０を撮影した画像は、照明管理コントローラ１０に送られる。
【００１８】
複数の照明器具３０は、例えば天井に設置され、エリア６０を照明する。照明器具３０は、例えばＬＥＤ（Ｌｉｇｈｔ  Ｅｍｉｔｔｉｎｇ  Ｄｉｏｄｅ）又は蛍光灯等の光源を有する。
【００１９】
照明管理コントローラ１０は、画像認識部１１、取得部１２及び制御部１４を備える。
【００２０】
画像認識部１１は、カメラ２０によって得られる画像に示されるエリア６０を複数の領域に分けて画像認識する。ここで、複数の領域とは、例えば、複数の照明器具３０のそれぞれの照明領域である。例えば、画像認識部１１は、エリア６０が暗いときに１つの照明器具３０だけが点灯させられた状態でカメラ２０によって撮影された画像から、当該画像における所定の輝度以上の領域をエリア６０における１つの領域とする。画像認識部１１は、同様にして、複数の照明器具３０がそれぞれ点灯させられた状態での照明領域をそれぞれ１つの領域としてエリア６０を複数の領域に分けていく。このとき、画像認識部１１は、各領域が、どの照明器具が点灯させられたときの領域であるかを認識しているため、複数の照明器具３０のそれぞれと、複数の領域のそれぞれとを対応付けながらエリア６０を複数の領域に分けている。つまり、エリア６０が複数の領域に分けられるときに、複数の照明器具３０のそれぞれと、複数の領域のそれぞれとが予め対応付けられる。
【００２１】
なお、複数の照明器具３０の照明領域が重複している領域と、当該複数の照明器具３０とが予め対応付けられてもよい。つまり、２台以上の照明器具３０が予め対応付けられている領域があってもよい。
【００２２】
なお、複数の領域は、エリア６０に配置されている例えば机又は陳列台等の物体上の領域であってもよい。この場合、画像認識部１１は、カメラ２０によって得られる画像に示されるエリア６０を複数の物体上の領域に分けて認識する。つまり、エリア６０内の物体上の領域を１つの領域と認識する。具体的に例えば物体が机の場合、画像認識部１１は、エリア６０内の机上の領域（天面）を１つの領域と認識する。また、複数の照明器具３０のそれぞれと、複数の物体上の領域のそれぞれとは予め対応付けられており、当該対応付けを示す情報は、例えば、照明管理コントローラ１０が備える記憶部（図示せず）に予め記憶されているとする。対応付けを示す情報については、後述する図６で詳細に説明する。なお、複数の照明器具３０のそれぞれと、複数の物体上の領域のそれぞれとを対応付ける方法は特に限定されない。例えば、複数の照明器具３０のそれぞれと複数の物体上の領域のそれぞれとの対応付けを、エリア６０を撮影したカメラ２０によって得られる画像を作業者が見ながら手動で行ってもよい。また、例えば、画像認識部１１が、上述したように、照明器具３０の照明領域と物体上の領域とを画像認識しながら自動で行ってもよい。対応付けを示す情報は、後述する複数の識別体が複数の物体上の領域に置かれる前に、予め記憶部に記憶される。
【００２３】
また、２つ以上の照明器具３０（例えば、後述する図４に示される照明器具３１ｂ及び３１ｃ）と１つの物体（例えば図４に示される机５０ａ）上の領域とが対応付けられてもよい。また、１つの照明器具３０（例えば図４に示される照明器具３１ｆ）と２つ以上の物体（例えば図４に示される机５０ｃ及び５０ｄ）上の領域とが対応付けられてもよい。
【００２４】
また、画像認識部１１は、エリア６０を撮影したカメラ２０によって得られる画像から、エリア６０における人又は物等の存在する位置を認識する。画像認識部１１が認識するエリア６０の複数の領域（複数の物体上の領域）には、複数の識別体がグループ分けのために置かれる。したがって、画像認識部１１は、カメラ２０の撮影によって得られる画像から、複数の識別体のそれぞれが置かれた領域（物体上の領域）を認識する。
【００２５】
また、画像認識部１１は、カメラ２０の撮影によって得られる画像から、エリア６０に存在する物が有する識別情報を認識する。画像認識部１１は、複数の領域（複数の物体上の領域）に置かれた複数の識別体がそれぞれ有する識別情報として、例えば文字、模様、形状及び色の少なくとも１つによって構成される情報を認識する。複数の識別体及び識別情報については、後述する図２Ａから図２Ｄで詳細に説明する。
【００２６】
これにより、画像認識部１１は、カメラ２０の撮影によって得られる画像から、複数の識別体のそれぞれが置かれた領域（物体上の領域）と、当該領域（物体上の領域）に置かれた識別体が有する識別情報との対応関係を示す情報を生成する。また、画像認識部１１は、カメラ２０の撮影によって得られる画像から、複数の識別体のそれぞれが置かれなかった領域を示す領域情報を生成する。対応関係を示す情報及び領域情報の詳細については、後述する図５で詳細に説明する。
【００２７】
照明管理コントローラ１０は、エリア６０を撮影したカメラ２０によって得られる画像及び記憶部に予め記憶された対応付け情報に基づいて複数の照明器具３０をグループ分けする。具体的には、照明管理コントローラ１０は、画像認識部１１がエリア６０を撮影したカメラ２０によって得られる画像を画像認識して生成した対応関係を示す情報及び領域情報、並びに、記憶部に予め記憶された対応付け情報に基づいて複数の照明器具３０をグループ分けする。
【００２８】
取得部１２は、複数の照明器具３０が照明するエリア６０の複数の領域に複数の識別体がグループ分けのために置かれたときのエリア６０を撮影したカメラ２０によって得られる画像から認識された、複数の識別体のそれぞれが置かれた領域と、当該領域に置かれた識別体が有する識別情報との対応関係を示す情報を取得する。取得部１２の動作については、後述する図３及び図４で詳細に説明する。
【００２９】
制御部１４は、取得部１２が取得した対応関係を示す情報が示す領域と予め対応付けられている照明器具３０に、対応関係を示す情報が示す当該領域に対応する識別情報を対応付けることで、同じ識別情報が対応付けられた照明器具３０を同じグループにグループ分けする。制御部１４の動作については、後述する図３及び図４で詳細に説明する。
【００３０】
画像認識部１１、取得部１２及び制御部１４は、例えば照明管理コントローラ１０が備える記憶部に記憶された制御プログラムを実行するプロセッサ等により実現されるが、マイクロコンピュータ又は専用回路等により実現されてもよい。
【００３１】
［識別体］
次に、識別体について図２Ａから図２Ｄを用いて説明する。
【００３２】
図２Ａから図２Ｄは、実施の形態に係る識別体の一例を示す図である。
【００３３】
識別体は、複数の照明器具３０をグループ分けするときにエリア６０に置かれる例えば記録媒体カード、画像表示端末（例えばタブレット端末又はスマートフォン等）又は置物である。本実施の形態では、識別体を記録媒体カードとする。記録媒体カードは、記録媒体カードが有する面に描かれた文字、模様若しくは色、又は記録媒体カード自体の形状によって構成される情報を記録するカードである。つまり、これらの情報は画像認識部１１が認識できる情報である。記録媒体カードが記録する情報を識別情報と呼ぶ。
【００３４】
なお、識別体は、複数の照明器具３０をグループ分けするときに一時的に置かれ、グループ分けが終わった後に取り除かれてもよい。
【００３５】
識別体は、図２Ａから図２Ｄに示されるように、識別情報として文字、模様、形状及び色の少なくとも１つによって構成される情報を有する。
【００３６】
図２Ａには、識別体に描かれた文字によって構成される識別情報を有する識別体が示される。例えば「Ａ」、「Ｂ」、「Ｃ」、「Ｄ」と描かれた識別体は、それぞれ異なる識別情報を有する。
【００３７】
図２Ｂには、識別体の形状によって構成される識別情報を有する識別体が示される。例えば正方形、三角形、丸、台形の形状を有する識別体は、それぞれ異なる識別情報を有する。
【００３８】
図２Ｃには、識別体に描かれた色によって構成される識別情報を有する識別体が示される。例えば赤、緑、黄、白の色が描かれた識別体は、それぞれ異なる識別情報を有する。
【００３９】
図２Ｄには、図２Ａと同様に識別体に描かれた文字によって構成される識別情報を有する識別体が示される。例えば「７０％  ３０００Ｋ」、「８０％  ４０００Ｋ」、「９０％  ５０００Ｋ」、「１００％  ６０００Ｋ」と描かれた識別体は、それぞれ異なる識別情報を有する。例えば「７０％  ３０００Ｋ」は、詳細は後述するが、照明器具３０に調光率７０％、色温度３０００Ｋの光を出力させる指示を意味しているが、識別体は、このような指示を示す文字によって構成される識別情報を有していてもよい。
【００４０】
図２Ａ〜図２Ｄでは、それぞれ４種類の異なる識別情報を有する識別体が示されているが、３種類以下の識別体が使用されてもよく、４種類以上の識別体が使用されてもよい。
【００４１】
また、識別体は、例えば、識別体に描かれた絵によって構成される識別情報を有していてもよい。
【００４２】
［照明管理方法］
次に、複数の照明器具３０をグループ分けする方法について、図３及び図４を用いて説明する。
【００４３】
図３は、実施の形態に係る照明管理方法の一例を示すフローチャートである。
【００４４】
図４は、実施の形態に係る照明管理方法によるグループ分けを説明するための図である。図４は、複数の物体として複数の机５０ａ〜５０ｐが並べられた部屋（例えばオフィス）を天井側から見た図である。図４には、天井に設置された複数の照明器具３１ａ〜３１ｐ、３２ａ〜３２ｐが示されている。また、図４には、天井に設置されたカメラ２０ａ及び２０ｂと、カメラ２０ａの撮影範囲であるエリア６１及びカメラ２０ｂの撮影範囲であるエリア６２が示されている。
【００４５】
まず、グループ分けをする作業者は、複数の照明器具３１ａ〜３１ｐ及び３２ａ〜３２ｐが照明するエリア６１及び６２の複数の領域（複数の机５０ａ〜５０ｐ上の領域）に複数の識別体４０ａ〜４０ｅをグループ分けのために置く（ステップＳ１１）。例えば、作業者は、１つの机上の領域に１つの識別体を置く。ここでは、複数の識別体４０ａ〜４０ｅとして、例えば図２Ａに示されるような文字によって構成される識別情報を有する識別体が複数の机５０ａ〜５０ｐ上の領域に置かれる。例えば、机５０ａ、５０ｂ、５０ｄ及び５０ｅ上の領域には識別体４０ａが置かれ、机５０ｃ、５０ｆ、５０ｈ、５０ｉ及び５０ｋ上の領域には識別体４０ｂが置かれ、机５０ｌ上の領域には識別体４０ｃが置かれ、机５０ｍ上の領域には識別体４０ｄが置かれ、机５０ｎ及び５０ｏ上の領域には識別体４０ｅが置かれ、机５０ｐ上の領域には識別体４０ｆが置かれる。なお、机５０ｇ及び５０ｊのように、複数の識別体４０ａ〜４０ｅが置かれない机（物体）があってもよい。作業者は、複数の識別体４０ａ〜４０ｅを複数の机５０ａ〜５０ｐ上の領域に置き終わった後に、複数の机５０ａ〜５０ｐ上に置かれた複数の識別体４０ａ〜４０ｅが間違って置かれていないかを確認する。
【００４６】
次に、作業者は、複数の識別体４０ａ〜４０ｅが複数の領域（複数の机５０ａ〜５０ｐ上の領域）に置かれたときのエリア６１及び６２をカメラ２０ａ及び２０ｂで撮影する（ステップＳ１２）。例えば、作業者は、複数の識別体４０ａ〜４０ｅを複数の机５０ａ〜５０ｐ上の領域に置いた後に、照明管理コントローラ１０を介してカメラ２０ａ及び２０ｂにエリア６１及び６２を撮影させる。そして、カメラ２０ａ及び２０ｂは、エリア６１及び６２を撮影することで得られる画像を、照明管理コントローラ１０（画像認識部１１）に送る。
【００４７】
画像認識部１１は、複数の識別体４０ａ〜４０ｅのそれぞれが置かれた机上の領域を認識する。そして、画像認識部１１は、机上に置かれた識別体が有する識別情報を認識する。具体的には、画像認識部１１は、机５０ａ〜５０ｆ、５０ｈ、５０ｉ及び５０ｋ〜５０ｐ上の領域に複数の識別体４０ａ〜４０ｅのそれぞれが置かれたことを認識する。そして、画像認識部１１は、机５０ａ、５０ｂ、５０ｄ及び５０ｅ上の領域に置かれた識別体４０ａが有する識別情報が文字「Ａ」であることを認識する。また、画像認識部１１は、机５０ｃ、５０ｆ、５０ｈ、５０ｉ及び５０ｋ上の領域に置かれた識別体４０ｂが有する識別情報が文字「Ｂ」であることを認識する。また、画像認識部１１は、机５０ｌ上の領域に置かれた識別体４０ｃが有する識別情報が文字「Ｃ」であることを認識する。また、画像認識部１１は、机５０ｍ上の領域に置かれた識別体４０ｄが有する識別情報が文字「Ｄ」であることを認識する。また、画像認識部１１は、机５０ｎ及び５０ｏ上の領域に置かれた識別体４０ｅが有する識別情報が文字「Ｅ」であることを認識する。また、画像認識部１１は、机５０ｐ上の領域に置かれた識別体４０ｆが有する識別情報が文字「Ｆ」であることを認識する。これにより、画像認識部１１は、複数の識別体４０ａ〜４０ｅのそれぞれが置かれた机５０ａ〜５０ｐ上の領域と、机５０ａ〜５０ｐ上の領域に置かれた識別体４０ａ〜４０ｅが有する識別情報との対応関係を示す情報を生成する。
【００４８】
また、画像認識部１１は、エリア６１及び６２において、複数の識別体４０ａ〜４０ｅのそれぞれが置かれなかった机上の領域を認識する。具体的には、画像認識部１１は、机５０ｇ及び５０ｊ上の領域に複数の識別体４０ａ〜４０ｅが置かれなかったことを認識する。これにより、画像認識部１１は、複数の識別体４０ａ〜４０ｅのそれぞれが置かれなかった机上の領域を示す領域情報を生成する。
【００４９】
次に、取得部１２は、エリア６１及び６２を撮影したカメラ２０ａ及び２０ｂによって得られる画像から画像認識部１１によって認識された、複数の識別体４０ａ〜４０ｅのそれぞれが置かれた机上の領域と、当該机上の領域に置かれた識別体が有する識別情報との対応関係を示す情報を取得する（ステップＳ１３）。また、取得部１２は、エリア６０において複数の識別体４０ａ〜４０ｅのそれぞれが置かれなかった領域を示す領域情報を取得する。取得部１２は、対応関係を示す情報及び領域情報を画像認識部１１から取得する。ここで、取得部１２が取得する対応関係を示す情報及び領域情報について、図５を用いて説明する。
【００５０】
図５は、実施の形態に係る取得部１２が取得する領域と識別情報との対応関係を示す情報及び領域情報を示す図である。
【００５１】
図５に示されるように、対応関係を示す情報は、複数の識別体４０ａ〜４０ｅのそれぞれが置かれた机上の領域と当該机上に置かれた識別体の識別情報との対応関係を示している。例えば、机５０ａ上の領域には、文字「Ａ」で構成される識別情報が対応付けられている。同様に、その他の複数の識別体４０ａ〜４０ｅのそれぞれが置かれた机上の領域にも、文字「Ａ」〜「Ｆ」で構成される識別情報が対応付けられている。また、領域情報として、エリア６０において複数の識別体４０ａ〜４０ｅのそれぞれが置かれなかった領域に、複数の識別体４０ａ〜４０ｅのそれぞれが置かれなかったことを示す情報が対応付けられている。例えば、机５０ｇ上の領域には、複数の識別体４０ａ〜４０ｅのそれぞれが置かれなかったため、識別情報がないことを示す情報が対応付けられている。同様に、机５０ｊ上の領域にも、識別情報がないことを示す情報が対応付けられている。取得部１２は、このような対応関係を示す情報と領域情報とを取得する。
【００５２】
そして、制御部１４は、取得部１２が取得した対応関係を示す情報が示す机上の領域と予め対応付けられている照明器具に、対応関係を示す情報が示す当該机上の領域に対応する識別情報を対応付けることで、同じ識別情報が対応付けられた照明器具を同じグループにグループ分けする（ステップＳ１４）。上述したように、複数の照明器具３１ａ〜３１ｐ及び３２ａ〜３２ｐのそれぞれと、複数の机５０ａ〜５０ｐ上の領域のそれぞれとは予め対応付けられており、当該対応付けを示す情報は記憶部に予め記憶されている。ここで、対応付けを示す情報について図６を用いて説明する。
【００５３】
図６は、予め対応付けられている領域と照明器具との対応付けを示す情報を示す図である。
【００５４】
図６に示されるように、対応付けを示す情報は、複数の机５０ａ〜５０ｐ上の領域のそれぞれと照明器具との予め対応付けられている対応関係を示している。例えば、机５０ａ上の領域には、照明器具３１ｂ及び３１ｃが予め対応付けられている。同様に、その他の机上の領域にも照明器具が予め対応付けられている。なお、机５０ａ上の領域のように、２つ以上の照明器具が予め対応付けられてもよい。
【００５５】
制御部１４は、記憶部に記憶された図６に示される対応付けを示す情報と取得部１２が取得した図５に示される対応関係を示す情報及び領域情報に基づいてグループ分けをする。制御部１４は、まず、取得部１２が取得した対応関係を示す情報が示す机上の領域と予め対応付けられている照明器具に、対応関係を示す情報が示す当該机上の領域に対応する識別情報を図７に示されるように対応付ける。
【００５６】
図７は、実施の形態に係る制御部１４が照明器具に対応付ける識別情報を示す図である。
【００５７】
例えば、制御部１４は、取得部１２が取得した対応関係を示す情報が示す机５０ａ上の領域と予め対応付けられている照明器具３１ｂ及び３１ｃに、対応関係を示す情報が示す机５０ａ上の領域に対応する文字「Ａ」で構成される識別情報を対応付ける。同様に、その他の照明器具にも文字「Ａ」〜「Ｆ」で構成される識別情報が対応付けられる。
【００５８】
また、制御部１４は、取得部１２が取得した対応関係を示す情報と領域情報とに応じて、識別体４０ａ〜４０ｅが置かれなかった机上の領域と予め対応付けられている照明器具に、所定の識別情報を対応付ける。具体的には、制御部１４は、複数の識別体４０ａ〜４０ｅのそれぞれが置かれなかった机上の領域を挟む領域に置かれた識別体が有する識別情報がそれぞれ同じ識別情報の場合、識別体４０ａ〜４０ｅが置かれなかった机上の領域と予め対応付けられている照明器具に、識別体４０ａ〜４０ｅが置かれなかった机上の領域を挟む領域に置かれた識別体が有する識別情報を対応付ける。例えば、制御部１４は、机５０ｇ上の領域に予め対応付けられている照明器具３１ｊ及び３１ｋに、机５０ｇ上の領域を挟む机５０ｆ及び５０ｈ上の領域に置かれた識別体４０ｂがそれぞれ同じ文字「Ｂ」で構成された識別情報なので、机５０ｇ上の領域を挟む机５０ｆ及び５０ｈ上の領域に置かれた識別体４０ｂが有する文字「Ｂ」で構成された識別情報を対応付ける。同様に、制御部１４は、机５０ｊ上の領域に予め対応付けられている照明器具３１ｊ、３１ｋ、３１ｎ及び３１ｏに、机５０ｊ上の領域を挟む机５０ｉ及び５０ｋ上の領域に置かれた識別体４０ｂが有する文字「Ｂ」で構成された識別情報を対応付ける。このように、制御部１４は、図７に示されるように、照明器具と識別情報とを対応付ける。
【００５９】
そして、制御部１４は、同じ識別情報が対応付けられた照明器具を同じグループにグループ分けする。例えば、制御部１４は、同じ文字「Ａ」で構成される識別情報が対応付けられた照明器具３１ｂ〜３１ｄ及び３１ｆ〜３１ｈを同じグループＡにグループ分けする。同様に、制御部１４は、その他の同じ識別情報が対応付けられた照明器具を同じグループにグループ分けする。
【００６０】
なお、１つの照明器具が複数のグループに属していてもよい。例えば、照明器具３１ｆは文字「Ａ」及び「Ｂ」で構成される識別情報が対応付けられ、グループＡ及びＢに属している。また、グループに属していない照明器具があってもよい。例えば、照明器具３１ａ、３２ｂ、３２ｆ、３２ｊ及び３２ｎは、識別情報が対応付けられておらず、グループに属していない。
【００６１】
制御部１４は、このようにして複数の照明器具３１ａ〜３１ｐ及び３２ａ〜３２ｐをグループ分けし、各照明器具が属するグループを示すグループ情報を記憶部に記憶する。
【００６２】
そして、照明管理コントローラ１０は、例えば、複数の識別体４０ａ〜４０ｅを複数の机５０ａ〜５０ｐ上の領域に置いた作業者が有する携帯端末１００（例えばタブレット端末）にグループ情報を送信する。携帯端末１００は、グループ情報に基づいて、各照明器具がグループ分けされた状態が作業者にわかる図８に示されるような画像等を携帯端末１００が有する表示部に表示する。
【００６３】
図８は、携帯端末１００に表示されたグループ分けの確認画面の一例を示す図である。図８には、図４に示されるエリア６１の部分のみを示している。
【００６４】
図８に示されるように、グループ分けされた状態が作業者にわかる画像は、例えば、照明器具が配置された状態を示す画像（例えば照明器具の配置図面）であり、画像内の同じグループに属する照明器具が線等で囲まれているものである。これにより、作業者は、複数の照明器具３１ａ〜３１ｐ及び３２ａ〜３２ｐがどのようにグループ分けされたか確認できる。
【００６５】
また、図８に示されるように、携帯端末１００は、グループ分けを確定してよいかを確認する表示と、作業者が操作できる例えば「確定」と書かれたアイコン及び例えば「修正」と書かれたアイコンとを表示する。例えば、照明管理コントローラ１０が行ったグループ分けが作業者の望むものになっていない場合、作業者は、「修正」と書かれたアイコンを操作（例えばタップ又はクリック等）し、グループを修正する。グループの修正方法は特に限定されないが、例えば、作業者は、図８に示される照明器具を囲んでいる線の範囲を操作（フリック又はドラッグアンドドロップ等）することでグループを修正する。照明管理コントローラ１０が行ったグループ分けが作業者の望むものになっている又は修正により作業者の望むものになった場合、作業者は、「確定」と書かれたアイコンを操作（例えばタップ又はクリック等）し、グループを確定する。
【００６６】
携帯端末１００は、グループが確定されたことを照明管理コントローラ１０に送信し、照明管理コントローラ１０は、記憶部に記憶しているグループ情報を確定する。なお、作業者がグループを修正していた場合には、照明管理コントローラ１０、当該修正に応じて記憶部に記憶しているグループ情報を修正してから確定する。
【００６７】
その後、照明管理コントローラ１０に記憶されたグループ情報は、複数の照明器具３１ａ〜３１ｐ及び３２ａ〜３２ｐが設置されている部屋を使用するユーザの携帯端末に送信される。これにより、ユーザは、複数の照明器具３１ａ〜３１ｐ及び３２ａ〜３２ｐのうちの所定のグループに属する照明器具の例えば、オン・オフ等を簡単に一括して行うことができる。このとき、同じグループに属する照明器具は、同じ調光率及び同じ色温度の光を出力してもよい。同じグループに属する照明器具が同じ調光率及び同じ色温度の光を出力するためには、グループ毎に調光率及び色温度の設定をする必要がある。例えば、照明管理コントローラ１０は、複数の照明器具３１ａ〜３１ｐ及び３２ａ〜３２ｐのグループ分けをするときに、グループ毎に調光率及び色温度の設定をしてもよい。
【００６８】
例えば、識別体が有する識別情報は、照明器具の調光率又は色温度を示す情報を含んでいてもよい。識別情報が照明器具の調光率又は色温度を示す情報を含むとは、例えば、図２Ｄに示されるように、識別情報が照明器具の調光率又は色温度を示していることである。例えば、画像認識部１１は、文字「７０％  ３０００Ｋ」で構成される識別情報を認識することで、当該識別情報を有する識別体が置かれた領域に、調光率７０％、色温度３０００Ｋの光を出力させる指示を示す情報を対応付ける。そして、制御部１４は、当該領域に予め対応付けられた照明器具を調光率７０％、色温度３０００Ｋの光を出力するように設定にする。
【００６９】
なお、識別情報が照明器具の調光率又は色温度を示す情報を含むとは、例えば、照明管理コントローラ１０の記憶部が識別情報と調光率又は色温度を示す情報との対応関係を示すテーブルを予め記憶していることであってもよい。例えば、記憶部は、文字「Ａ」で構成される識別情報と調光率７０％、色温度３０００Ｋを示す情報とが対応付けられたテーブルを記憶しているとする。この場合、画像認識部１１が文字「Ａ」で構成される識別情報を認識することで、文字「Ａ」で構成される識別情報を有する識別体が置かれた領域に、当該テーブルに応じて調光率７０％、色温度３０００Ｋの光を出力させる指示を示す情報を対応付ける。したがって、この場合でもあっても、制御部１４は、当該領域に予め対応付けられた照明器具を調光率７０％、色温度３０００Ｋの光を出力するように設定にする。このように、照明管理コントローラ１０は、複数の照明器具３１ａ〜３１ｐ及び３２ａ〜３２ｐのグループ分けをするときに、グループ毎に調光率及び色温度の設定をする。
【００７０】
制御部１４は、グループ毎の調光率及び色温度の設定情報を記憶部に記憶する。
【００７１】
そして、照明管理コントローラ１０は、例えば、作業者が有する携帯端末１００に設定情報を送信する。携帯端末１００は、設定情報に基づいて、各グループの照明設定の状態が作業者にわかる図９に示されるような画像等を携帯端末１００が有する表示部に表示する。
【００７２】
図９は、携帯端末１００に表示されたグループ毎の照明設定の確認画面の一例を示す図である。図９に示されるように、携帯端末１００には、グループ毎に設定された調光率及び色温度が表示される。これにより、作業者は各グループがどのような照明設定になっているか確認できる。
【００７３】
また、図９に示されるように、携帯端末１００は、照明設定を確定してよいかを確認する表示と、作業者が操作できる例えば「確定」と書かれたアイコン及び例えば「修正」と書かれたアイコンとを表示する。例えば、照明管理コントローラ１０が行ったグループ毎の照明設定が作業者の望むものになっていない場合、作業者は、「修正」と書かれたアイコンを操作（例えばタップ又はクリック等）し、照明設定を修正する。照明設定の修正方法は特に限定されないが、例えば、作業者は、図９に示される調光率又は色温度の設定値を別の数値に書き換えて照明設定を修正する。照明管理コントローラ１０が行った照明設定が作業者の望むものになっている又は修正により作業者の望むものになった場合、作業者は、「確定」と書かれたアイコンを操作（例えばタップ又はクリック等）し、グループ毎の照明設定を確定する。
【００７４】
そして、携帯端末１００は、照明設定が確定されたことを照明管理コントローラ１０に送信し、照明管理コントローラ１０は、記憶部に記憶している設定情報を確定する。なお、作業者が照明設定を修正していた場合には、照明管理コントローラ１０、当該修正に応じて記憶部に記憶している設定情報を修正してから確定する。
【００７５】
なお、グループに属していない照明器具３１ａ、３２ｂ、３２ｆ、３２ｊ及び３２ｎは、例えば、消灯したままになるように設定されてもよいし、周囲の照明器具と同じように点灯するように設定されてもよい。
【００７６】
また、複数のグループに属している照明器具は、複数のグループのうちの少なくとも１つが点灯するときには、点灯するように設定されてもよい。例えば複数のグループに属している照明器具３１ｆは、少なくともＡグループ及びＢグループの一方が点灯するときには、点灯するように設定されてもよい。また、ＡグループとＢグループとで調光率又は色温度の設定が異なる場合は、優先順位に従ってどちらかのグループの調光率又は色温度で点灯するように設定されてもよい。例えば、Ａグループの方がＢグループよりも優先順位が高いときに、Ａグループ及びＢグループの両方が点灯する場合、照明器具３１ｆはＡグループの調光率又は色温度の設定で点灯してもよい。また、Ｂグループのみ点灯する場合、照明器具３１ｆは、Ｂグループの調光率又は色温度の設定で点灯してもよい。
【００７７】
［効果等］
従来、例えば、照明器具が数１００台設置されている部屋の照明器具のグループ分けが行われる場合、１台ずつグループを対応付けていく必要がある。また、例えば、オフィス等において部署毎に照明器具のグループ分けが行われる場合、部署の配置変更又は部署のメンバーの増減等がある度にグループ分けをする必要がある。このように、グループ分けは、グループ分けをする作業者にとって煩わしいものとなっている。
【００７８】
そこで、本実施の形態に係る照明管理コントローラ１０は、複数の照明器具３０のグループ分けをするための照明管理コントローラである。照明管理コントローラ１０は、複数の照明器具３０が照明するエリア６０の複数の領域に複数の識別体がグループ分けのために置かれたときのエリア６０を撮影したカメラ２０によって得られる画像から認識された、複数の識別体のそれぞれが置かれた領域と、当該領域に置かれた識別体が有する識別情報との対応関係を示す情報を取得する取得部１２を備える。また、照明管理コントローラ１０は、取得部１２が取得した対応関係を示す情報が示す領域と予め対応付けられている照明器具３０に、対応関係を示す情報が示す当該領域に対応する識別情報を対応付けることで、同じ識別情報が対応付けられた照明器具３０を同じグループにグループ分けする制御部１４を備える。
【００７９】
本実施の形態に係る照明管理システム１は、上記の照明管理コントローラ１０と、複数の照明器具３０と、カメラ２０と、を備える。
【００８０】
本実施の形態に係る照明管理方法は、複数の照明器具３０のグループ分けをするための照明管理方法である。照明管理方法は、複数の照明器具３０が照明するエリア６０の複数の領域に複数の識別体をグループ分けのために置くステップと、複数の識別体が複数の領域に置かれたときのエリア６０をカメラ２０で撮影するステップと、を含む。また、照明管理方法は、撮影するステップでエリア６０を撮影したカメラ２０によって得られる画像から認識された、複数の識別体のそれぞれが置かれた領域と、当該領域に置かれた識別体が有する識別情報との対応関係を示す情報を取得するステップを含む。また照明管理方法は、取得するステップで取得した対応関係を示す情報が示す領域と予め対応付けられている照明器具に、対応関係を示す情報が示す当該領域に対応する識別情報を対応付けることで、同じ識別情報が対応付けられた照明器具３０を同じグループにグループ分けするステップを含む。
【００８１】
これにより、グループ分けをする作業者が記録媒体カード等の識別体をエリア６０に置いて、エリア６０をカメラ２０で撮影した後、取得部１２及び制御部１４によって、複数の照明器具３０がグループ分けされる。つまり、グループ分けをする作業者は、記録媒体カード等の識別体をエリア６０に置いて、エリア６０をカメラ２０で撮影するという簡単な作業をするだけで、複数の照明器具３０を手軽にグループ分けできる。また、タブレット端末等の操作に慣れていない作業者であっても、タブレット端末等を使用しないで複数の照明器具３０のグループ分けができる。また、作業者は、識別体を置いた領域を目視で確認しながらグループ分けができるため、正確に複数の照明器具３０のグループ分けをすることができる。このように、複数の照明器具３０のグループ分けを簡単に行うことができる。
【００８２】
また、複数の領域は、エリア６０に配置されている複数の物体上の領域である。
【００８３】
これにより、グループ分けをする作業者は、記録媒体カード等の識別体を机等の物体上に置いて、エリア６０をカメラ２０で撮影するという簡単な作業をするだけで、複数の物体に予め対応されている複数の照明器具３０（例えば机の上の天井に設置されている照明器具３０）を手軽にグループ分けできる。
【００８４】
また、取得部１２は、さらに、エリア６０において複数の識別体のそれぞれが置かれなかった領域を示す領域情報を取得する。制御部１４は、取得部１２が取得した対応関係を示す情報と領域情報とに応じて、複数の識別体のそれぞれが置かれなかった領域を挟む領域に置かれた識別体が有する識別情報がそれぞれ同じ識別情報の場合、識別体が置かれなかった領域と予め対応付けられている照明器具３０に、識別体が置かれなかった領域を挟む領域に置かれた識別体が有する識別情報を対応付ける。
【００８５】
具体的には、例えば、３×３に並んだ９つの領域に予め対応付けられている複数の照明器具３０を１つのグループにグループ分けする場合、作業者は９つの領域のうちの４隅にある領域に識別体を置くだけで、当該複数の照明器具３０を１つのグループにグループ分けすることができる。これにより、作業者は、１つのグループを作る際に、用意する識別体の数を少なくでき、また、作業者が識別体を複数の領域に置く手間を省くことができる。
【００８６】
また、複数の識別体は、記録媒体カード、画像表示端末又は置物である。
【００８７】
これにより、複数の識別体は、持ち運びができるものであるため、作業者は、複数の照明器具３０のグループ分けのために複数の識別体を簡単に複数の領域に置くことができる。また、作業者は、複数の照明器具３０のグループ分けが終わった後に、複数の識別体を簡単に複数の領域から取り除くことができる。
【００８８】
また、複数の識別体は、識別情報として文字、模様、形状及び色の少なくとも１つによって構成される情報を有する。
【００８９】
これにより、カメラ２０に撮影された画像に写る複数の識別体は、文字、模様、形状又は色等の特徴的な情報を有しているため、画像認識がされやすくなる。
【００９０】
また、識別情報は、照明器具３０の調光率又は色温度を示す情報を含む。
【００９１】
これにより、照明器具３０のグループ分けがされるときに同時に照明器具３０の調光率又は色温度の設定もすることができる。例えば、会議室に設置された照明器具３０が同じグループにグループ分けされる際に、当該照明器具３０の色温度をアイデアが出やすく議論が盛り上がる暖色系に設定できる。また、例えば、作業室又は勉強部屋等に設置された照明器具３０が同じグループにグループ分けされる際に、当該照明器具３０の色温度を集中して作業ができる寒色系に設定できる。また、例えば、鮮魚食肉売り場に設置された照明器具３０が同じグループにグループ分けされる際に、当該照明器具３０の色温度を鮮魚食肉がおいしそうに見える彩光色に設定できる。また、例えば、化粧品売り場に設置された照明器具３０が同じグループにグループ分けされる際に、当該照明器具３０の色温度を肌がきれいに見える美光色に設定できる。また、自然光が入りにくい部屋に設置された照明器具３０が同じグループにグループ分けされる際に、当該照明器具３０の調光率を高く設定できる。
【００９２】
（その他の実施の形態）
以上、実施の形態に係る照明管理コントローラ１０、照明管理システム１及び照明管理方法について説明したが、本発明は、上記実施の形態に限定されるものではない。
【００９３】
例えば、上記実施の形態では、照明管理コントローラ１０は、画像認識部１１を備えたが、これに限らない。例えば、カメラ２０が画像認識部１１を備えていてもよい。つまり、カメラ２０は、カメラ２０により得られる画像を、カメラ２０が備える画像認識部１１で画像認識し、画像認識により生成した対応関係を示す情報及び領域情報を照明管理コントローラ１０（取得部１２）に送信してもよい。
【００９４】
また、例えば、上記実施の形態では、照明管理コントローラ１０は、リモコン（ライトコントローラ）又はＰＣ等であったが、これに限らない。例えば、照明管理コントローラ１０は、携帯端末１００であってもよい。携帯端末１００は、照明管理コントローラ１０として取得部１２及び制御部１４を備え、複数の照明器具３０のグループ分けをしてもよい。
【００９５】
また、例えば、上記実施の形態では、照明管理コントローラ１０は、携帯端末１００にグループ情報及び設定情報を送信し、作業者は、携帯端末１００の表示部でグループ分けの確認及び照明設定の確認をしたが、これに限らない。例えば、照明管理コントローラ１０は、表示部を備えてもよく、作業者は、照明管理コントローラ１０の表示部でグループ分けの確認及び照明設定の確認をしてもよい。
【００９６】
また、例えば、上記実施の形態では、照明管理コントローラ１０は、図４に示されるように、複数の照明器具３０を一度に多くのグループにグループ分けしたが、これに限らない。例えば、照明管理コントローラ１０は、複数の照明器具３０を一度に全てグループ分けせずに何度かに分けてグループ分けしてもよい。つまり、照明管理コントローラ１０は、例えば、図４に示されるグループＡだけ作り、時間を変えて、次にグループＢだけ作り・・・ということを繰り返して複数の照明器具３０をグループ分けしてもよい。これにより、例えば複数の照明器具３０が大きな部屋に設置されているときであっても、作業者は、少しずつ複数の照明器具３０をグループ分けしていくことができる。また、例えば、識別体の種類が例えば１種類しかない場合であっても、作業者は、１つのグループを作ることを繰り返すことで複数の照明器具３０をグループ分けしていくことができる。
【００９７】
また、例えば、上記実施の形態では、照明管理コントローラ１０は、複数の照明器具３０をグループ分けしたが、複数の照明器具３０と複数の領域とは予め対応付けられているため、複数の照明器具３０がグループ分けされることで、複数の領域がグループ分けされることになる。
【００９８】
また、上記実施の形態では、識別体が置かれなかった領域に予め対応付けられている照明器具は、当該領域を挟む領域に置かれた識別体が有する識別情報が対応付けられたが、これに限らない。例えば、識別体が置かれなかった領域と当該領域を挟む領域とが所定以上離れている場合には、当該領域に予め対応付けられている照明器具は、識別情報が対応付けられなくてもよい。また、例えば、識別体が置かれなかった領域に予め対応付けられている照明器具は、当該領域の周囲の領域に置かれた識別体のうち最も当該領域の近くに置かれた識別体が有する識別情報が対応付けられてもよい。
【００９９】
また、上記実施の形態では、同じ識別情報を有する識別体が置かれた領域に予め対応付けられた照明器具は、同じグループにグループ分けされたが、これに限らない。例えば、同じ識別情報を有する識別体が置かれた領域同士が所定以上離れている場合には、それぞれの照明器具は異なるグループとしてグループ分けされてもよい。
【０１００】
また、本発明は、照明管理コントローラ１０として実現できるだけでなく、照明管理コントローラ１０を構成する各構成要素が行うステップ（処理）を含む方法として実現できる。
【０１０１】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１０２】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１０３】
また、上記実施の形態の照明管理コントローラ１０に含まれる各構成要素は、専用または汎用の回路として実現されてもよい。
【０１０４】
また、上記実施の形態の照明管理コントローラ１０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【０１０５】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１０６】
さらに、半導体技術の進歩または派生する別技術によりＬＳＩに置き換わる集積回路化の技術が登場すれば、当然、その技術を用いて、照明管理コントローラ１０に含まれる各構成要素の集積回路化が行われてもよい。
【０１０７】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０８】
１  照明管理システム
１０  照明管理コントローラ
１２  取得部
１４  制御部
２０、２０ａ、２０ｂ  カメラ
３０、３１ａ〜３１ｐ、３２ａ〜３２ｐ  照明器具
４０ａ〜４０ｅ  識別体
６０、６１、６２  エリア
【図１】
2017139202.tif 000003
【図２Ａ】
2017139202.tif 000004
【図２Ｂ】
2017139202.tif 000005
【図２Ｃ】
2017139202.tif 000006
【図２Ｄ】
2017139202.tif 000007
【図３】
2017139202.tif 000008
【図４】
2017139202.tif 000009
【図５】
2017139202.tif 000010
【図６】
2017139202.tif 000011
【図７】
2017139202.tif 000012
【図８】
2017139202.tif 000013
【図９】
2017139202.tif 000014